(57)【要約】【課題】画像読取装置の主走査方向と副走査方向の直角度調整を、専用の調整工具無しに行うことができる簡単な方法を提案するものであり、装置組立の際のみならず、ユーザ先でのメンテナンスにおいても、調整工具等なく主走査方向と副走査方向の直角度調整を行うことができる組み立て性、メンテナンス性に優れた画像読取装置を提供する。【解決手段】光学ユニットは、光学ユニットに固定された摺動部材を介して、案内部材に摺動自在に固定されている。光学ユニットに摺動部材を固定するとき、両部材の境界側面に、光学ユニットと摺動部材の位置を調整する調整用目盛りが付いているので、ユーザ先でのメンテナンスにおいても、その調整用目盛りを利用することで、調整工具等なく主走査方向と副走査方向の直角度調整を行うことができる。【選択図】  図２
2009267453.tif 000002
【特許請求の範囲】
【請求項１】
原稿に光を照射する光源手段と、該光源手段の照射により、原稿面で反射された光束の進行方向を変える少なくともひとつの反射手段と、該反射手段で反射された光束を結像させる光学系と、該光学系の結像位置に配置された光電変換手段と、
少なくとも前記光源手段と前記反射手段から構成された光学ユニットと、該光学ユニットが原稿を照射するときに走査するとき、前記光学ユニットを案内する案内部材とを備えた画像読取装置において、
前記光学ユニットは、該光学ユニットに固定された摺動部材を介して前記案内部材に摺動自在に固定されており、前記光学ユニットに前記摺動部材を固定したとき、両部材の境界側面に、前記光学ユニットと前記摺動部材の位置を調整する調整用目盛りが付いていることを特徴とする画像読取装置。
【請求項２】
前記調整用目盛りのピッチは、前記光学ユニットと前記摺動部材とでは異なることを特徴とする請求項１記載の画像読取装置。
【請求項３】
前記光学ユニットは、
少なくとも前記光源手段と、前記反射手段と、前記光学系と、前記光電変換手段とを備えた一体型光学ユニットであることを特徴とする請求項１または２記載の画像読取装置。
【請求項４】
記録媒体に画像を形成する画像形成装置であって、請求項1乃至３記載のいずれかに記載された画像読取装置が備えられたことを特徴とする画像形成装置。
【発明の詳細な説明】
【技術分野】
【０００１】
本発明は、イメージスキャナなど、あるいはマルチファンクションプリンタ（ＭＦＰ）、複写機、ファクシミリ等の画像形成装置に備えられている画像読取装置に関する。
【背景技術】
【０００２】
従来、イメージスキャナなど、あるいはマルチファンクションプリンタなどに備えられた画像読取装置は、コンタクトガラス上に載置された原稿を画像読取り手段によってスキャンして、原稿記載情報を光学的に読み取るものである。この画像読取装置では画像の主走査方向に対し、スキャン方向である副走査方向が厳密に直交していなければ、原稿を歪んで読み込むことになり、良好な画像を得ることができない。
【０００３】
主走査方向と副走査方向の直角度調整の代表的な手段としては、光源等の画像読取り手段を備えた光学ユニットであるキャリッジを分割し角度を調整する方法である。直線的にキャリッジを、副走査方向に案内するための案内部材である案内軸と摺動する、摺動部材である摺動部と、読取部本体とに分割した構成とする。摺動部とキャリッジ本体はビス等の固定部材を用いて固定し、摺動部が案内軸に対して嵌合することでキャリッジを副走査方向へ誘導し、案内軸および摺動部に対してキャリッジの主走査方向が直角となった状態で固定を行うことで、画像ゆがみを抑える構成となっている。
【０００４】
【特許文献１】特開２００７−１３６２５号公報
【発明の開示】
【発明が解決しようとする課題】
【０００５】
しかしながら、直角度を満足させることは非常に精度よく行わなければならず、これを実現するために画像読取装置の組立時にキャリッジと摺動部の直角度を正確に規定するための専用工具を用いることで、主走査方向と副走査方向の正確な直角度調整を行っている。
【０００６】
ここで画像読取装置が出荷されたのち、ユーザより画像の直角度に関して再調整の要求を受けることがあるが、今までの構成では市場等の外部において専用の調整工具を用いることはできないので、微調整を何度も繰り返して行なうことで、画像の直角度を追い込む調整を行っていたため、ユーザ先でのメンテナンスに時間が掛かり、容易に画像直角度の再調整を行うことができなかった。
【０００７】
本発明は、上記課題に鑑みてなされたものであり、その目的は、画像読取装置の主走査方向と副走査方向の直角度調整を、専用の調整工具無しに行うことができる簡単な方法を提案するものであり、装置組立の際のみならず、ユーザ先でのメンテナンスにおいても、調整工具等なく主走査方向と副走査方向の直角度調整を行うことができる組み立て性、メンテナンス性に優れた画像読取装置を提供するものである。
【課題を解決するための手段】
【０００８】
本発明による画像読取装置は、原稿に光を照射する光源手段と、光源手段の照射により、原稿面で反射された光束の進行方向を変える少なくともひとつの反射手段と、反射手段で反射された光束を結像させる光学系と、光学系の結像位置に配置された光電変換手段と、
少なくとも光源手段と反射手段から構成された光学ユニットと、光学ユニットが原稿を照射するときに走査するとき、光学ユニットを案内する案内部材とを備えた画像読取装置において、光学ユニットは、光学ユニットに固定された摺動部材を介して案内部材に摺動自在に固定されており、光学ユニットに摺動部材を固定したとき、両部材の境界側面に、光学ユニットと摺動部材の位置を調整する調整用目盛りが付いている、ことを特徴とする。
【０００９】
また、調整用目盛りのピッチは、光学ユニットと摺動部材とでは異なるようにしてもよい。
【００１０】
さらに、光学ユニットは、少なくとも光源手段と、反射手段と、光学系と、光電変換手段とを備えた一体型光学ユニットであるようにしてもよい。
【００１１】
さらにまた、上記の画像読取装置が記録媒体に画像を形成する画像形成装置に備えられるようにしてもよい。
【発明の効果】
【００１２】
本発明によれば、画像を読み取る画像読取装置において、光源等の画像読み取り手段を備えた光学ユニットであるキャリッジと、キャリッジに固定される摺動部材である軸受け部の双方の境界側面に、調整用目盛を付けておくことで、主走査方向と副走査方向の直角度調整を工具無しで行うことができ、工場出荷後のメンテナンス時に再度、直角度調整を容易に行うことが可能なため、画像品質の高い画像読取装置を提供することができる。
【発明を実施するための最良の形態】
【００１３】
以下、本発明の好適な実施の形態について図面を参照しながら説明する。
【００１４】
図１は本発明を実施するための、光源、反射ミラー等の画像読み取り手段を備えた、光学ユニットであるキャリッジの概略図である。
光学ユニットであるキャリッジは、主にキャリッジ本体１と、キャリッジ本体1とは別体となって設けられた、摺動部材である軸受け部２の二つのユニットからなる。
【００１５】
キャリッジ本体１は主に不図示の光源、反射手段である反射ミラー、レンズ、光電変換手段であるＣＣＤ基板、筐体からなり、光源によって原稿に光を照射し、その反射光を複数枚からなる折り返しミラー（反射ミラー）とレンズによってＣＣＤ等の光電変換素子に像を結ばせ、画像情報を電気信号としてキャリッジ外へＦＦＣ等の手段を用いて出力する。
【００１６】
一方、キャリッジ１は副走査方向に移動しながら原稿の情報を読み取るものであり、キャリッジ１を副走査方向に導くためのガイド部材が、摺動部材である軸受け部２としてキャリッジ１に固定されている。
【００１７】
軸受け部２はキャリッジ１を副走査方向に案内する、画像読取装置本体に設けられた、案内軸３に対して嵌合しており、軸受け部２が案内軸３の軸方向に案内されることによって原稿の副走査方向の走査を行う。
【００１８】
このとき、キャリッジ本体１の読み取り位置（主走査方向）と案内軸３（副走査方向）の直交が保たれていないと、画像を読み込んだ場合、画像が歪んで読み取られてしまうため、キャリッジ本体１の読み取り部と案内軸３の直角度が非常に重要となる。この直角度を決める手段がキャリッジ本体１に対して固定される軸受け部２となり、キャリッジ本体１の読み取り部に対して、副走査方向を決定する要因となっており、この調整が画像品質（画像直角性）を決定付けている。
【００１９】
この調整を行うための手段の実施例を図３に示す。図３はキャリッジ本体１を底面から見た斜視図である。この軸受け部２はキャリッジ本体１に設けられた基準ボスである中心軸O部にて嵌合しており、嵌合部を中心軸Oとして軸受け部２が回動可能な構成となっている。
【００２０】
一方、中心軸Oより離れたキャリッジ本体１と軸受け部２の境界側面に軸受け部２とキャリッジ本体１に相対するように間隔（ピッチ）の異なる調整用目盛５が設けられている。
【００２１】
図２は調整用目盛５部分の詳細図であり、すべての部品が称呼寸法値に作られていれば、中央の目盛部分に合わせることで、主走査方向と軸受け部方向が正確に９０度になるように作られている。
【００２２】
一方、キャリッジ本体１の目盛間隔（ピッチ）は１．０の間隔であり、軸受け部２の目盛間隔（ピッチ）は０．９５と設定すると、図４に示すように、1目盛がズレたときは、回動中心軸Oから目盛部分までの距離をL１すると角度が  aｒｃｔａｎ（０．０５／L１）だけずれることになる。このとき、主走査読み取り位置の端部は最大L２×ａｒｃｔａｎ（０．０５／L１）分調整されることになる。
【００２３】
これから分かるように、軸受け部２とキャリッジ本体１の直角度調整は非常に小さなズレが、主走査方向に対して大きく影響するため、精度よく組み付けるには工具の使用もしくは本発明のような微小な変更を可視化することが出来る手段を設ける必要がある。
【００２４】
本発明は専用の調整用工具を準備することなく精度の良い調整が容易に出来るため、工場組立て時のみならず出荷後の市場においてのメンテナンス時にも微調整を容易に行うことができる点で従来よりも優れている。
【００２５】
以上、本発明の好適な実施の形態について説明したが、上記で言及した以外にも種々の変形、変更を行うことが可能である。
【図面の簡単な説明】
【００２６】
【図１】本発明に係る実施形態のキャリッジの概略図である。
【図２】本発明に係る実施形態の目盛部分の構成拡大図である。
【図３】本発明に係る実施形態のキャリッジと軸受け部の構成拡大図である。
【図４】本発明に係る実施形態の直角調整量の説明図である。
【符号の説明】
【００２７】
１  キャリッジ本体
２  軸受け部
３  案内軸
４  固定ビス
５  調整用目盛
Ｏ  回転中心軸
【図１】
2009267453.tif 000003
【図２】
2009267453.tif 000004
【図３】
2009267453.tif 000005
【図４】
2009267453.tif 000006